(57)【要約】【課題】容器体２前部に横設した第１係合子４下面へ、蓋体３前部から垂下するフック５下面内部の第２係合子６を係合させ、容器体前部に左右両側を枢着した回動ピースを設け、該回動ピースの下部を押し込むことでの回動でその脚板８がフック５を押し上げて上記係合の離脱が可能としたロック機構を有する容器であって、上記係合のより容易な解除を行えるとともに、充分な係合強度で閉蓋しておくことができる容器を提案する。【解決手段】上記第１係合子４の対向位置以外のフック下面を上記脚板８により押し上げる如く構成するとともに、脚板８が第１係合子４と非接触な回動をする如く構成した。【選択図】図２
2004323054.tif 000002
【特許請求の範囲】
【請求項１】
容器体２前部に横設した第１係合子４下面へ、蓋体３前部から垂下するフック５下部内面の第２係合子６を係合させ、容器体前部に於いて左右両側を枢着した回動ピース７を回動させることにより、回動ピースの脚板８が上記フック５を押し上げて上記係合が解除するロック機構を備えた容器であって、上記脚板８によるフックの押し上げが、上記第１係合子４の対向位置以外のフック下面であり、上記脚板８の回動が上記第１係合子４と非接触な回動であることを特徴とするロック機構付き容器。
【請求項２】
上記フック５の横幅を上記第１係合子４の横幅よりも大とし、上記第１係合子４の対向位置以外のフック下面が、上記第１係合子４対向位置両側に突出する部分のフック下面である請求項１記載のロック機構付き容器。
【請求項３】
上記第１係合子４が間隔をあけて突設した複数の分割係合子９よりなり、上記フック５が上記各分割係合子９と係合する第２係合子を備えたフックであり、上記第１係合子４の対向位置以外のフック下面が、上記各分割係合子９間対向位置に於けるフック下面である請求項１記載のロック機構付き容器。
【請求項４】
上記フック５下面の少なくとも上記脚板８による押し上げ部位を、上記第１係合子４の突設側へ拡張してなる請求項１乃至請求項３のいずれかに記載のロック機構付き容器。
【発明の詳細な説明】
【０００１】
【発明の属する技術分野】
本発明はロック機構付き容器に関する。
【０００２】
【従来の技術】
容器体と蓋体とを各後部で枢着させるとともに、容器体前壁に付設させた第１係合子下面に、蓋体前部から垂設するフック下端の第２係合子を係合させることで蓋体閉塞状態が保持されるように設けた容器が提案されている（例えば、特許文献１参照）。
【０００３】
これらは容器体前部に設けた凹部の中間部上縁に上記第１係合子を付設させるとともに、該凹部内に両側を枢着させた回動ピースを回動可能に設けている。この回動ピースは後端面開口の箱型をなし、頂板に設けた切欠下方に位置させて前面と底面とを回動ピースの前壁及び底壁に接続させた脚板を設けている。その脚板は回動ピースの中央部に位置し、第１係合子と第２係合子との係合部位に該当するフック下面を押し上げる如く構成している。そして、蓋体閉塞により第１、第２係合子が係合した時、フック下端面が脚板上面に接するように設け、回動ピースの前壁下部を後方へ押すと脚板がフックを押し上げることで、第１、第２係合子の係合が離脱する如く構成している。
【０００４】
【特許文献１】
実開昭６４−５５２６号公報（第１−２頁，図３）
【０００５】
【発明が解決しようとする課題】
上記従来の容器は回動ピースの前面下部を後方へ押すだけで開蓋できるため、開蓋操作が極めて容易であり、また、フック下端が接する脚板上面は切欠下方に位置させてあるので回動ピースの位置を高くすることができ、よって容器を薄く形成することができる等の種々の利点を有するものである。
【０００６】
本発明はこの様な利点を備えるとともに、回動ピースの押し上げによる係合の解除をより容易に行うことができ、しかも、閉蓋時には充分な係合強度で閉蓋しておくことができる優れたロック機構付き容器を提案するものである。また、回動ピースの押し込みによる係合解除により充分な押し上げ角度で開蓋することができる利点を兼ね備えた容器を提案するものである。
【０００７】
【課題を解決するための手段】
本請求項１発明の容器は上記課題を解決するため、容器体２前部に横設した第１係合子４下面へ、蓋体３前部から垂下するフック５下部内面の第２係合子６を係合させ、容器体前部に於いて左右両側を枢着した回動ピース７を回動させることにより、回動ピースの脚板８が上記フック５を押し上げて上記係合が解除するロック機構を備えた容器であって、上記脚板８によるフックの押し上げが、上記第１係合子４の対向位置以外のフック下面であり、上記脚板８の回動が上記第１係合子４と非接触な回動であることを特徴とするロック機構付き容器として構成した。
【０００８】
また、請求項２発明の容器は、上記フック５の横幅を上記第１係合子４の横幅よりも大とし、上記第１係合子４の対向位置以外のフック下面が、上記第１係合子４対向位置両側に突出する部分のフック下面である請求項１記載のロック機構付き容器として構成した。
【０００９】
また、請求項３発明の容器は、上記第１係合子４が間隔をあけて突設した複数の分割係合子９よりなり、上記フック５が上記各分割係合子９と係合する第２係合子を備えたフックであり、上記第１係合子４の対向位置以外のフック下面が、上記各分割係合子９間対向位置に於けるフック下面である請求項１記載のロック機構付き容器として構成した。
【００１０】
また、請求項４発明の容器は、上記フック５下面の少なくとも上記脚板８による押し上げ部位を、上記第１係合子４の突設側へ拡張してなる請求項１乃至請求項３のいずれかに記載のロック機構付き容器として構成した。
【００１１】
【発明の実施の形態】
以下、本発明の実施例の形態を図面を参照して説明する。
【００１２】
本発明の容器１は、容器体２に対して蓋体３を閉蓋状態で維持するロック機構を備えたものであり、該ロック機構は、容器体２前部に横設した第１係合子４下面へ、蓋体３前部から垂下するフック５下部内面の第２係合子６を係合させ、左右両側を枢着した回動ピース７の下部を押し込むことでの回動で、回動ピース７の脚板８が上記フック５を押し上げて上記係合の離脱が可能に構成したものである。
【００１３】
容器体２は皿状形態をなすものであり、上記回動ピース７を装着するための凹部を前部に設けると良い。第１係合子４は、図１の実施例の如く単独のものであっても、或いは図４の実施例の如く複数の分割係合子９を間隔をあけて突設したものの集合体であっても良い。
【００１４】
また、蓋体３は、例えば容器体２の後部に後部を回動可能に連結した伏皿状形態のもので、前部所定位置より上記フック５を垂設している。フック５の横幅は第１係合子４よりも横幅の大きいもの、或いは同じもの或いは小さいものが採用できる。但し第１係合子４が単一のものの場合には横幅の大きいものを採用し、また、第１係合子４が複数の分割係合子９よりなる場合には、少なくともそれら全体に掛け渡す長さを有するものを採用できる。
【００１５】
第２係合子６は、第１係合子４と係合可能なフック５内面位置に設ければ良く、上記フックの形態と関連させて種々の形態を採用できる。例えば図１の実施例の如く、フック５が第１係合子４より横幅の広いものの場合にその内面所定位置を横断して第２係合子６を形成し、その中央部分を第１係合子４との係合部分としても良い。或いは、図１の実施例に於いてフック５の内面所定位置中央部分に第１係合子４と同幅に第２係合子を設けても、第１係合子４より小幅に設けても良い。また、第１係合子４が上記した如き複数の分割係合子９を間隔をあけて突設したものの集合体である場合には、少なくともそれ等すべての分割係合子９との係合部分が存在する長さに亘って単一の第２係合子６を設けたり、或いは、各分割係合子９とそれそれ係合する複数の第２係合子を設けると良い。
【００１６】
回動ピース７は、上記要件を備えていればその具体的形状は種々選択でき、単一であっても複数であっも、第１，第２の各係合子の形態等にあわせて種々選択することができるが、本発明では上記第１係合子４の対向位置以外のフック５下面を上記脚板８により押し上げる如く構成している。また、本発明では上記脚板８の回動が上記第１係合子４と非接触な回動となる如く構成している。
【００１７】
上記第１係合子４の対向位置以外のフック下面としては、第１係合子４が単一の場合には、第１係合子４対向位置両側に突出する部分のフック下面であり、また、第１係合子４が複数の分割係合子９の集合体よりなるものの場合には、各分割係合子９間対向位置のフック下面或いは各分割係合子９対向位置両側に突出する部分のフック下面或いはこれらの複合等が挙げられる。
【００１８】
図１は本発明の一実施例を示すもので、容器体２と、蓋体３と、回動ピース７とを備えている。容器体２の前部に縦設した回動ピース収納用の凹部１０を設けており、この凹部１０の奥面上部に前後方向の揺動が可能に揺動板部１１を画成しており、この揺動板部１１の前面に第１係合子４を横設している。
【００１９】
蓋体３は、その前部下面より垂設したフック５の内面下部より第２係合子６を突設しており、この第２係合子６を上記第１係合子４に乗り越え係合させることにより閉蓋状態を維持する如く構成している。フック５の横幅は第１係合子４の横幅より大きく構成し、第２係合子６はフック５を横断して第１係合子４より幅広に構成している。
【００２０】
回動ピース７は，両側壁１２をそれぞれ凹部１０の両側面に枢着して回動可能に設けており、各側壁１２の前端縁間に前壁１３を掛け渡し、各側壁１２の下端縁間には底壁１４を掛け渡し、更に、前壁１３上端より後方へ延設した頂壁１５の中央後端部に窓孔１６を穿設した内側面開口の箱型をなしている。また、前壁１３の内面と底壁１４の上面とに前縁及び下縁を連結した上記脚板８を間隔をあけて一対立設している。各脚板８は第１係合子４の対向位置両側に突出する部分のフック５下面を押し上げる如く構成しており、それぞれ第１係合子４の両側位置に於いて回動する如く構成しており、第１係合子４とは接触しない位置で回動する如く構成している。
【００２１】
上記の如く構成した容器１は、図１の状態から回動ピース７の下部を押し込むことにより回動させ、各脚板８が上記フック５下面を押し上げて上記係合を離脱する。
【００２２】
図４及び図５は他の実施例を示し、上記第１係合子４が間隔をあけて突設した左右一対の分割係合子９よりなり、上記フック５が上記各分割係合子９と係合する第２係合子６を備えており、上記第１係合子４の対向位置以外のフック下面が、上記左右の分割係合子９間対向位置に於けるフック下面となる如く構成した例を示す。
【００２３】
各分割係合子９は凹部１０奥面にそれぞれ画成した一対の揺動板部１１の外面にそれぞれ横設している。また、フック５は、両分割係合子９の突設対向位置の全横幅よりも大きい横幅を有し、その内面下部にフック５を横断する第２係合子６を突設している。また、回動ピース７は、同様の箱型をなし、前壁１３及び底壁１４の中央部にそれぞれ前縁及び下縁を連結した脚板８を、各分割係合子９間対向位置のフック５下面部分に立設している。そして、回動ピース７を押し込むことにより脚板８がフック５下面を押し上げて上記係合を解除する如く構成している。
【００２４】
図６及び図７は更に他の実施例を示すもので、上記フック５下面の少なくとも上記脚板８による押し上げ部位を、上記第１係合子４の突設側へ拡張した拡張部１７を設けた例を示す。この様に拡張することにより、図８に示す如く、回動ピース７の同様の押し込み幅により脚板８の同じ回動角度αであっても、そのフック５の押し上げ幅が拡張部１７を設けていないフック５の押し上げ幅ｈ１  よりも拡張部１７を設けたフック５の押し上げ幅ｈ２  の方が大きくなり、より開蓋角度が大きくなる。その結果上記第１係合子４と第２係合子６の係合が外れた際に指の挿入が行い易くより簡単に開蓋することができる。図示例では、フック５の両側にフック５及び第２係合子６の幅と同じ幅の柱状部１８を形成し、その下面を拡張部１７としている。尚、この構成は他の実施例に於いても採用できる。
【００２５】
【発明の効果】
以上説明した如く本発明のロック機構付き容器は、既述構成としたことにより、より確実で容易な開蓋が行えるものであり、特に回動ピースを収納する部分が小スペースであっても充分容易な押し上げ操作が可能であり、開蓋操作が容易となるものである。しかも構造も従来品と比較して多少の変更で済むため製造上の煩雑さを伴わない利点も備えている。
【００２６】
また、フック下面の少なくとも脚板による押し上げ部位を、第１係合子の突設側へ拡張してなるものにあっては、同じ押し込み幅であってもより高位置まで脚板が上昇するため、より確実な開蓋操作を行える利点を備えている。
【図面の簡単な説明】
【図１】本発明の一実施例を示す要部縦断面図である。
【図２】図１のＡ−Ａ線に沿った要部横断面図である。
【図３】同実施例回動ピースを押し込んだ状態の要部縦断面図である。
【図４】本発明の他の実施例を示す要部縦断面図である。
【図５】図４のＢ−Ｂ線に沿った要部横断面図である。
【図６】本発明の更に他の実施例を示す要部縦断面図である。
【図７】図６のＣ−Ｃ線に沿った要部横断面図である。
【図８】同実施例の作用を説明する説明図である。
【符号の説明】
２…容器体，３…蓋体，４…第１係合子，５…フック，６…第２係合子，
７…回動ピース，８…脚板，９…分割係合子
【図１】
2004323054.tif 000003
【図２】
2004323054.tif 000004
【図３】
2004323054.tif 000005
【図４】
2004323054.tif 000006
【図５】
2004323054.tif 000007
【図６】
2004323054.tif 000008
【図７】
2004323054.tif 000009
【図８】
2004323054.tif 000010